(57)【要約】【課題】照明の照度分布を変化させることができ、手術の様々な状況に対応することができる医療用照明装置を提供する。【解決手段】光源１２と、光源１２の照射方向に対向して設けられ、光源１２に向かって凹状の曲面を有する反射鏡１４と、光源１２と反射鏡１４との間隔を変更させる可動部とを有し、光源１２から放射された光を反射鏡１４で反射させて対象物側に射出するように構成された照明部２を備え、可動部による光源１２と反射鏡１４との間隔の変更作用により、該照明部２による照明の照度分布を変更させるように構成されている。【選択図】図１
2012081058.tif 000002
【特許請求の範囲】
【請求項１】
光源と、前記光源の照射方向に対向して設けられ、光源に向かって凹状の曲面を有する反射鏡と、前記光源と反射鏡との間隔を変更させる可動部とを有し、前記光源から放射された光を前記反射鏡で反射させて対象物側に射出するように構成された照明部を備え、
前記可動部による光源と反射鏡との間隔の変更作用により、該照明部による照明の照度分布を変更させるように構成されていることを特徴とする医療用照明装置。
【請求項２】
前記照明部は、前記光源及び前記反射鏡をそれぞれ有する複数の照明セルを備え、
前記可動部は、前記複数の照明セルの光源と反射鏡との間隔を変更可能に構成され、
前記複数の照明セルからの射出光が対象物上で重ね合わされるように構成されていることを特徴とする請求項１記載の医療用照明装置。
【請求項３】
前記照明部は、
上面に複数の光源が設けられた基盤と、
前記光源の照射方向に対向して設けられ、各光源とそれぞれ対向する位置に、光源に向かって凹状の曲面が形成された反射鏡とを備え、
前記可動部は、前記基盤と前記反射鏡との間隔を変更可能に構成され、
前記反射鏡により反射された射出光が対象物上で重ね合わされるように構成されていることを特徴とする請求項１記載の医療用照明装置。
【請求項４】
前記反射鏡の曲面は、双曲面状に形成されている
ことを特徴とする請求項１乃至３いずれか１項に記載の医療用照明装置。
【発明の詳細な説明】
【技術分野】
【０００１】
本発明は、例えば病院の手術室などに設置され、患者の施術する患部を照明する医療用照明装置に関するものである。
【背景技術】
【０００２】
従来から、病院の手術室などに設置され、患者の施術する患部を照明する医療用照明装置として、複数の照明による照光を施術する患部において重ね合わせることにより、施術する患部に施術者やその助手の影が生じないようにする多灯式医療用無影照明灯が用いられている（引用文献１参照）。また、近年の医療用照明装置には、その光源として、ハロゲンランプなどの白熱電球に代わり、比較的に発熱量が小さく高輝度な発光ダイオードが用いられている。さらに最近では、演色性の高い発光ダイオードを用いた医療用照明装置も現れてきている。
【０００３】
一方、手術の現場では、施術する患部の違いや術式の多様化などにより、面積の大きな患部の場合や狭くて深い患部の場合など様々であり、このような施術する患部の違いや多様な術式に対応できる医療用照明装置が要求されている。
【先行技術文献】
【特許文献】
【０００４】
【特許文献１】特開平０９−１５４８５２号公報
【発明の概要】
【発明が解決しようとする課題】
【０００５】
しかしながら、引用文献１の多灯式医療用無影照明灯による照明は、照度分布が一定であり、施術する患部の違いや多様な術式に対応などに対応することができないという問題がある。
【０００６】
そこで、本発明は、照明の照度分布を変化させることができ、手術の様々な状況に対応することができる医療用照明装置を提供することを目的とする。
【課題を解決するための手段】
【０００７】
以上の目的を達成するため、本発明に係る医療用照明装置は、光源と、前記光源の照射方向に対向して設けられ、光源に向かって凹状の曲面を有する反射鏡と、前記光源と反射鏡との間隔を変更させる可動部とを有し、前記光源から放射された光を前記反射鏡で反射させて対象物側に射出するように構成された照明部を備え、前記可動部による光源と反射鏡との間隔の変更作用により、該照明部による照明の照度分布を変更させるように構成されていることを特徴とする。
【０００８】
本発明に係る医療用照明装置おいて、前記照明部は、前記光源及び前記反射鏡をそれぞれ有する複数の照明セルを備え、前記可動部は、前記複数の照明セルの光源と反射鏡との間隔を変更可能に構成され、前記複数の照明セルからの射出光が対象物上で重ね合わされるように構成されているとしても良い。
【０００９】
また、本発明に係る医療用照明装置おいて、前記照明部は、上面に複数の光源が設けられた基盤と、前記光源の照射方向に対向して設けられ、各光源とそれぞれ対向する位置に、光源に向かって凹状の曲面が形成された反射鏡とを備え、前記可動部は、前記基盤と前記反射鏡との間隔を変更可能に構成され、前記反射鏡により反射された射出光が対象物上で重ね合わされるように構成されているとしても良い。
【００１０】
さらに、本発明に係る医療用照明装置おいて、前記反射鏡の曲面は、双曲面状に形成されていることが好ましく、このように、反射鏡の曲面が双曲面状に形成されていることにより、照明の光野の中心から周辺に向かって照度が徐々に低下する照度分布となり、ムラの無い良好な照明光を得ることができる。
【発明の効果】
【００１１】
以上のように、本発明によれば、照明の照度分布を変化させることができ、手術の様々な状況に対応することができる医療用照明装置を提供することができる。
【図面の簡単な説明】
【００１２】
【図１】本発明の第１実施形態に係る医療用照明装置の概略構成を示す正面図である。
【図２】第１実施形態に係る医療用照明装置の照明ユニットの概略構成を示す正面図である。
【図３】第１実施形態に係る医療用照明装置の照明セルの概略構成を示す正面図である。
【図４】図３のＡ−Ａ´線に沿った断面図である。
【図５】反射鏡と発光ダイオードとの間隔が比較的狭い状態における照明セルの概略構成を示す断面図及び照明の照度分布を示す模式図である。
【図６】反射鏡と発光ダイオードとの間隔が比較的広い状態における照明セルの概略構成を示す断面図及び照明の照度分布を示す模式図である。
【図７】反射鏡と発光ダイオードとの間隔を２０［ｍｍ］に設定した場合における照明セルの照明の照度分布を示すグラフである。
【図８】反射鏡と発光ダイオードとの間隔を２１．０５［ｍｍ］に設定した場合における照明セルの照明の照度分布を示すグラフである。
【図９】図９（ａ）は、反射鏡と発光ダイオードとの間隔が比較的狭い状態における照明ユニットの照明を示す模式図であり、図９（ｂ）は、反射鏡と発光ダイオードとの間隔が比較的広い状態における照明ユニットの照明を示す模式図である。
【図１０】図１０（ａ）は、反射鏡と発光ダイオードとの間隔が比較的狭い状態における医療用照明装置の照明を示す模式図であり、図１０（ｂ）は、反射鏡と発光ダイオードとの間隔が比較的広い状態における医療用照明装置の照明を示す模式図である。
【図１１】本発明の第２実施形態に係る医療用照明装置の照明ユニットの概略構成を示す正面図である。
【図１２】図１１のＢ−Ｂ´線に沿った拡大断面図である。
【図１３】図１３（ａ）乃至（ｅ）は、第２実施形態に係る医療用照明装置の照明ユニット内の反射盤と基盤との間隔を変更させた場合の照度分布を示すグラフである。
【図１４】照明セルを結像光学系で表現した模式図である。
【図１５】図１４における反射鏡を放物面とした場合における評価像面での横収差図である。
【図１６】図１４における反射鏡を楕円面とした場合における評価像面での横収差図である。
【図１７】図１４における反射鏡を双曲面とし、発光ダイオードと反射鏡の間隔を変更させた場合における評価像面での横収差図である。
【発明を実施するための形態】
【００１３】
［第１実施形態］
次に、本発明の実施形態に係る医療用照明装置について、図面に基づいて説明する。第１実施形態に係る医療用照明装置１は、図１に示すように、対象物（施術する患部）に対して光を照射可能な７個の照明ユニット２と、これら照明ユニット２を支持する円盤状のハウジング４とを備えている。
【００１４】
第１実施形態に係る医療用照明装置１において、各照明ユニット２は、図２に示すように、施術する患部に対して光を照射可能に構成された１８個の照明セル１０と、これら照明セル１０を支持する円盤状のハウジング３０と、照明セル１０の後述する反射鏡１４及び基盤１６を相対移動させ、基盤１６に設けられた発光ダイオード１２と反射鏡１４との間隔を変更させる可動部（図示せず）とを備えている。なお、この可動部は、照明セル１０毎に設けられても良いし、１つの照明ユニット２に対して１つ設けられても良い。また、可動部は、反射鏡１４及び基盤１６の少なくとも一方を他方に対して移動可能に構成されたものであれば良く、周知の種々の構成を採用することができる。
【００１５】
照明セル１０は、図３及び図４に示すように、円筒状のケース部材１８と、ケース部材１８の底面側（図４中、左側）の開口を閉塞するように設けられた反射鏡１４と、ケース部材１８の上面側（図４中、右側）の開口に設けられた基盤１６と、基盤１６の反射鏡１４と対向する面の中心に設けられた発光ダイオード１２とを備えている。この基盤１６は、反射鏡１４により反射された光が通過可能な開口を有する三又状に形成されている。照明セル１０の反射鏡１４は、発光ダイオード１２に向かって凹状の円錐曲面を有し、発光ダイオード１２から放射された光を取り込んで反射させ、施術する患部側（図４中、右側）に光を照射し、施術する患部に照明の光野を形成するように構成されている。照明セル１０の反射鏡１４の曲面は、光軸（回転対称軸）をＸ軸、光軸と直行する軸をＹ軸、曲面の面頂点を原点(０，０)とする円錐曲面の関係式（１）により定義され、例えば、中心曲率半径ｒ＝４０［ｍｍ］、円錐係数Ｋ＝−２．０、口径φ４０［ｍｍ］からなる双曲面形状に形成されている。
【００１６】
【数１】
2012081058.tif 000003
【００１７】
照明セル１０の反射鏡１４及び基盤１６は、ケース部材１８の内周面に沿って移動可能な状態でケース部材１８内に設けられており、可動部の駆動によって相対移動するように構成されている。そして、照明セル１０は、これら反射鏡１４及び基盤１６を相対移動させて反射鏡１４と発光ダイオード１２との間隔を変化させることにより、反射鏡１４により取り込み反射させる光の射出角を変化させ、施術する患部に対して照射される光の照度分布を異ならせるように構成されている。すなわち、照明セル１０は、反射鏡１４と発光ダイオード１２との間隔が比較的狭い状態（間隔Ａ）では、図５に示すように、反射鏡１４により取り込み反射させる光の射出角が比較的広くなるため、施術する患部に比較的広い光野径αを形成することができる。これに対し、照明セル１０は、反射鏡１４及び基盤１６を相対移動させて反射鏡１４と発光ダイオード１２との間隔を比較的広くさせた状態（間隔Ｂ）では、図６に示すように、反射鏡１４により取り込み反射させる光の射出角が比較的狭くなるため、施術する患部に比較的狭い光野径βを形成することができる。図５及び図６において、照度を示す軸（図５及び図６中、横軸）は、照明セル１０による照明の照度の比を表しており、反射鏡１４と発光ダイオード１２との間隔が比較的広い状態（間隔Ｂの状態）における照明の中心照度を基準（１００％）としている。また、図５及び図６において、照度を示す軸と、光野径を示す軸（図５及び図６中、縦軸）とにより表される曲線の形状が、照度分布である。
【００１８】
図７及び図８は、反射鏡１４と発光ダイオード１２との間隔を２０［ｍｍ］から２１．０５［ｍｍ］に変化させた場合の照明セル１０による照明を、光学設計ソフトによりシミュレートした結果を示すものである。このシミュレート結果から、発光ダイオード１２と反射鏡１４との間隔が比較的狭い２０［ｍｍ］の設定の場合には、施術する患部（照明距離１２００［ｍｍ］）の位置に比較的広い光野径α（φ２００［ｍｍ］）を形成することができ（図７参照）、発光ダイオード１２と反射鏡１４との間隔が比較的広い２１．０５［ｍｍ］の設定の場合には、施術する患部（照明距離１２００［ｍｍ］）の位置に比較的狭い光野径β（φ１２６［ｍｍ］）を形成することができることがわかる（図８参照）。図７及び図８において、グラフスケールは、同一で、縦軸は、照度［ｌｘ］を表し、横軸は、照射距離１２００［ｍｍ］の位置での面上での長さ（−１５０［ｍｍ］乃至＋１５０［ｍｍ］）を表している。また、光野径は、ＩＥＣ−６０６０１−２−４１に基づいて定義されている。
【００１９】
第１実施形態に係る医療用照明装置１において、この１８個の照明セル１０は、図２及び図９に示すように、ハウジング３０内においてバランスの良い対称性を有する配置で、かつそれぞれの中心軸とハウジング３０の中心軸とが施術する患部において一点に収束するように、それぞれハウジング３０の中心に向かって傾斜して設けられている。このように照明セル１０が配置されることにより、１８個の照明セル１０による照明の光野を施術する患部の位置で重ね合わせて、施術する患部上に一つの光野を形成することができる（図９（ａ）及び図９（ｂ）参照）。
【００２０】
また、７つの照明ユニット２は、図１及び図１０に示すように、ハウジング４内においてバランスの良い対称性を有する配置で、かつそれぞれの中心軸とハウジング４の中心軸とが施術する患部において一点に収束するように、それぞれハウジング４の中心に向かって傾斜して設けられている。このように７つの照明ユニット２が配置されることにより、７つの照明ユニット２が形成する光野を施術する患部の位置で重ね合わせて、施術する患部に一つの光野を形成することができる（図１０（ａ）及び図１０（ｂ）参照）。
【００２１】
以上のように、第１実施形態に係る医療用照明装置１は、照明ユニット２内の１８個の照明セル１０が形成する照明の光野がそれぞれ施術する患部の位置で重なり合い、かつ７つの照明ユニット２が形成する光野が施術する患部の位置で重なり合うことにより、医療用照明装置１内の全照明セル１０が形成する照明の光野を施術する患部の位置で重ね合わせることができ、これにより、施術者やその助手などの影が生じない高い無影性を実現することができる。
【００２２】
そして、第１実施形態に係る医療用照明装置１は、全照明セル１０の反射鏡１４及び基盤１６を相対移動させて反射鏡１４と発光ダイオード１２との間隔を変化させることにより、施術する患部に照射される光の照度分布を変化させることができる。すなわち、第１実施形態に係る医療用照明装置１は、例えば施術する患部が比較的広い場合には、図１０（ａ）に示すように、全照明セル１０の反射鏡１４と発光ダイオード１２との間隔を比較的狭くさせることにより、施術する患部に比較的広い光野径αを形成することができ、例えば施術する患部が比較的狭い場合には、図１０（ｂ）に示すように、全照明セル１０の反射鏡１４と発光ダイオード１２との間隔を比較的広くさせることにより、施術する患部に比較的狭い光野径βを形成することができる。
【００２３】
［第２実施形態］
次に、本発明の第２実施形態に係る医療用照明装置について、図面に基づいて説明する。第２実施形態に係る医療用照明装置は、照明ユニット内の１８個の照明セルをそれぞれ独立した部材であるとした第１実施形態に係る医療用照明装置と異なり、照明ユニット内の１８個の照明セルの反射鏡をその光学的な配置座標を維持しながら１つの反射盤に形成すると共に、１８個の照明セルの基盤を１枚の基盤にまとめ、これら反射盤と基盤との間隔を変化させることにより、照明の照度分布を変化させるように構成したものである。以下、第２実施形態に係る医療用照明装置において、第１実施形態に係る医療用照明装置１と同様の構成については、その詳細な説明を省略し、異なる構成についてのみ説明する。
【００２４】
第２実施形態に係る医療用照明装置は、第１実施形態に係る医療用照明装置１と同様に、施術する患部に対して光を照射可能な７個の照明ユニット２００と、これら照明ユニット２００支持する円盤状のハウジング（図示せず）とを備えている。この各照明ユニット２００は、図１１及び図１２に示すように、上面が開放された有底円筒状のハウジング２３０と、施術する患部に対して光を照射させる照明部２１０と、照明部２１０に取付けられた可動部２２０とを備えている。
【００２５】
ハウジング２３０は、主として円筒状の周面部２３４と、周面部２３４の下面を閉塞する円盤状の底面部２３２とからなる有底円筒状に形成されている。このハウジング２３０は、熱伝導に優れた素材から形成されており、照明部２１０において生じた熱を放熱するように構成されている。ハウジング２３０の底面部２３２には、図１１に示すように、同一の大きさからなる円形状の開口２３５が計１８個形成されており、この計１８個の開口２３５のうちの１２個の開口２３５は、一辺が３つの開口２３５からなる六角形を形作るように密に形成されて外縁を形成し、残りの６つの開口２３５は、その外縁の内側において、外縁を形成する各開口２３５の間に密に形成され、これにより、外縁の内側に一辺が２つの開口２３５からなる六角形を形作るように形成されている。
【００２６】
照明部２１０は、複数の発光ダイオード２１２と、発光ダイオード２１２の照射方向に対向して設けられた単一の反射盤２１４と、これら発光ダイオード２１２の保持及び通電を行なう基盤２１６とを備えている。
【００２７】
基盤２１６は、ハウジング２３０の周面部２３４の内径と概ね同径の外径を有する円盤状に形成されており、この基盤２１６の下面がハウジング２３０の底面部２３２の上面と接するように配置されている。基盤２１６のハウジング２３０の開口２３５と整合する位置の形状は、三又状に形成されており、その余の部分が開口している（図１１参照）。この基盤２１６の三又状部分の中心には、それぞれ発光ダイオード２１２が保持されている。
【００２８】
反射盤２１４は、主として円筒状の周面部２１４ｂと、周面部２１４ｂの上面を閉塞する反射盤本体２１４ａと、反射盤本体２１４ａの中心部分を貫通して設けられ、下面が開放された有底円筒状の円筒部２１４ｃとを備えている。この反射盤本体２１４ａは、ハウジング２３０の周面部２３４の内径と概ね同径の外径を有する円盤状に形成されており、この反射盤本体２１４ａの下面には、ハウジング２３０の各開口２３５と整合する位置にそれぞれ凹状の反射面２１５が形成されている。周面部２１４ｂと円筒部２１４ｃは、これらの下側の端部が概ね同じ高さとなるような高さ方向の長さを有している。
【００２９】
反射面２１５は、発光ダイオード２１２に向かって凹状の円錐曲面を有し、発光ダイオード２１２から放射された光を取り込んで反射させ、施術する患部に対して光を照射させるように構成されている。この各反射面２１５の面形状は、いずれも、中心曲率半径ｒ＝４０［ｍｍ］、円錐係数Ｋ＝−２．０、口径φ４０［ｍｍ］からなる双曲面状に形成されている。なお、この円錐曲面の関係式は、第１実施形態に係る医療用照明装置１と同様に、上記（１）式で定義される。
【００３０】
また、反射面２１５は、それぞれの中心軸と反射盤本体２１４ａの中心軸とが施術する患部において一点に収束するように、それぞれ反射盤本体２１４ａの中心に向かって傾斜して形成されている（図１２中の一点鎖線参照）。このように反射面２１５が形成されることにより、１８個の反射面２１５により取り込み反射される光の光野を施術する患部の位置で重ね合わせ、１８個の反射面２１５によって施術する患部上に一つの光野を形成することができる。
【００３１】
可動部２２０は、反射盤本体２１４ａの上面に設置された支持台２２６と、支持台２２６上に載置されたモータ２２２と、モータ２２２の回転運動を上下方向の直線運動に変換する運動変換機構２２４と、反射盤２１４の上下方向の移動をガイドする案内軸２２８とを備えている。
【００３２】
運動変換機構２２４は、モータ２２２の出力軸上に設けられた第１のギア２２４ａと、第１のギア２２４ａに噛合する第２のギア２２４ｂと、第２のギア２２４ｂの回転により軸回転する回転軸２２４ｃと、回転軸２２４ｃの軸回転により上下方向に移動する昇降部材２２４ｄとを備えている。この第１のギア２２４ａ及び第２のギア２２４ｂは、モータ２２２の出力軸の回転運動を回転軸２２４ｃに伝達可能に構成されていれば、いかなる構成を備えていても良い。
【００３３】
回転軸２２４ｃは、反射盤２１４の円筒部２１４ｃの底面（図１２中、上側の面）を貫通して設けられ、その中心軸に沿った方向の中心部分から下端に亘ってねじが形成されている。この回転軸２２４ｃと円筒部２１４ｃの底面の貫通部分との間には、回転軸２２４ｃを軸回転可能に支持するベアリングが設けられている。
【００３４】
昇降部材２２４ｄは、円柱状に形成されており、反射盤２１４の円筒部２１４ｃ内に固定された状態で収容されている。また、昇降部材２２４ｄは、その上面から内部に亘って孔が形成されており、この孔の内壁には、回転軸２２４ｃのねじと係合可能なねじ切りが形成されている。この昇降部材２２４ｄは、そのねじ切り部分と回転軸２２４ｃのねじとが係合された状態で回転軸２２４ｃが軸回転することにより、回転軸２２４ｃの軸方向、すなわち上下方向に移動するように構成されており、昇降部材２２４ｄに固定されている反射盤２１４を基盤２１６に対して上下方向に移動させるように構成されている。なお、昇降部材２２４ｄは、反射盤２１４の円筒部２１４ｃではなく基盤２１６に固定され、基盤２１６を反射盤２１４に対して上下方向に移動させるように構成しても良い。
【００３５】
案内軸２２８は、円柱状に形成されており、反射盤２１４の周面部２１４ｂを上下方向に貫通して、反射盤２１４の周方向に等間隔をおいて設けられている。この案内軸２２８の下端は、基盤２１６及びハウジング２３０に固定されている。
【００３６】
このように構成された可動部２２０は、モータ２２２を駆動させることにより、第１のギア２２４ａ及び第２のギア２２４ｂを介して回転軸２２４ｃを軸回転させて、昇降部材２２４ｄ及び反射盤２１４を上下方向に移動させ、反射盤２１４と基盤２１６との間隔を変化させることができる。そして、第２実施形態に係る医療用照明装置は、可動部２２０によって反射盤２１４と基盤２１６（発光ダイオード２１２）との間隔を変化させることにより、反射面２１５が取り込み反射させる光の射出角を変化させることができるため、第１実施例に係る医療用照明装置１と同様に、施術する患部に対して照射される光の照度分布を変化させることができる。
【００３７】
図１３（ａ）乃至（ｅ）は、第２実施形態に係る医療用照明装置の各照明ユニット２００内において、反射盤２１４と基盤２１６との間隔ｄを２０［ｍｍ］から２２［ｍｍ］まで、０．５［ｍｍ］間隔で移動させた際の照度分布を光学設計ソフトでシミュレ−トし、その照度分布を示したものである。このシミュレートの結果から明らかであるように、反射盤２１４と基盤２１６との間隔ｄを２０［ｍｍ］から２２［ｍｍ］に広くさせると、これに伴って照明の光野径が狭くなることがわかる。なお、第２実施形態に係る医療用照明装置の照明は、各照明ユニット２００の照明が重なり合って形成されるため、図１３（ａ）乃至（ｅ）に示した照明ユニット２００内のシミュレート結果と同様となる。図１６（ａ）乃至（ｅ）において、グラフの縦軸は、照度［ｌｘ］を表し、横軸は、照射距離１２００［ｍｍ］の位置での面上での長さ（−１５０［ｍｍ］乃至＋１５０［ｍｍ］）を表している。
【００３８】
［第１実施形態及び第２実施形態の変形例］
第１実施形態及び第２実施形態に係る医療用照明装置において、照明ユニットは、７つ設けられるとしたが、これに限定されず、少なくとも１つ設けられていれば良い。また、第１実施形態及び第２実施形態に係る医療用照明装置において、光源は、発光ダイオードであるとしたが、これに限定されず、種々のものを採用することができる。さらに、第１実施形態及び第２実施形態に係る医療用照明装置おいて、各反射鏡１４（各反射面２１５）は、同一の面形状であるとしたが、これに限定されず、異なる面形状としても良い。
【００３９】
［双曲面の効果］
次に、第１実施形態及び第２実施形態に係る医療用照明装置において、反射鏡１４（反射面２１５）の面形状を双曲面状に形成する場合の効果について、反射鏡１４（反射面２１５）の面形状を双曲面状に形成する場合と、放物面状又は楕円面状に形成する場合との照明距離の位置での光の集まり具合を比較することにより説明する。
【００４０】
図１４は、照明セルを結像光学系（シ−ケンシャル系）として設定したものであり、発光ダイオード３０１（点光源）を被写体として反射鏡３０２の焦点位置（反射鏡の焦点距離２０［ｍｍ］）に置き、反射鏡３０２（中心曲率半径ｒ＝４０［ｍｍ］）をレンズとして、照明距離の位置に評価像面３０３を設定したものである。なお、この反射鏡の面形状の関係式は、上記（１）式で定義される。また、図１４中において、照明セルの中心軸線より上方側の光線が上光線であり、照明セルの中心軸線より下方側の光線が下光線である。
【００４１】
図１５乃至図１７は、評価像面３０３での横収差を表している。なお、横軸は、反射鏡上の光線の座標であり、縦軸（−１００［ｍｍ］乃至＋１００［ｍｍ］)は、横収差、すなわち光線が到達した座標である。
【００４２】
まず、反射鏡３０２を放物面（円錐係数Ｋ＝−１．０）とした場合について、図１５を用いて説明する。図１５（ａ）は、発光ダイオード３０１を反射鏡３０２の焦点距離に置いた場合における、評価像面３０３での横収差を示している。反射鏡３０２を放物面とした場合には、図１５（ａ）から明らかなように、横収差は、直線（勾配が一定）である。これは、反射鏡３０２から平行光が射出されていることを意味している。しかしながら、この場合、照明の光野径が開口径に近い値となり小さいため、光野径をφ２００［ｍｍ］程度になるように、発光ダイオード３０１を反射鏡３０２に近づく方向に動かし、照明の光野径の拡大を行う必要がある。ここで、光野径をφ２００［ｍｍ］程度になるように発光ダイオード３０１を反射鏡３０２に近づけた場合の横収差を図１５（ｂ）に示す。このように照明の光野径の拡大を行った場合、図１５（ｂ）から明らかなように、反射鏡３０２の開口周辺部分の横収差の勾配が低減するように曲がっている。これは、照明の光野の周辺方向へ向かう光が中心方向へ変位していることを意味し、周辺の照度がその中心側近傍より高くなり、照明ムラが発生していることを示している。
【００４３】
次に、反射鏡３０２を楕円面（円錐係数Ｋ＝−０．９４）とした場合について、図１６を用いて説明する。図１６（ａ）は、発光ダイオード３０１を反射鏡３０２の焦点距離に置いた場合における、評価像面３０３での横収差を示している。図１６（ａ）から明らかなように、反射鏡３０２を楕円面とした場合についても、照明の光野径が小さいため、反射鏡３０２を放物面とした場合と同様に、発光ダイオード３０１を反射鏡３０２に近づく方向に動かし、照明の光野径の拡大を行う必要がある。また、発光ダイオード３０１を反射鏡３０２に近づけた場合においても、図１６（ｂ）及び図１６（ｂ）から明らかなように、反射鏡３０２を放物面とした場合と同様な横収差であり、照明ムラが発生していることを示している。
【００４４】
次に、反射鏡３０２を双曲面（円錐係数Ｋ＝−２．０）とし、発光ダイオード３０１を反射鏡３０２から遠ざける方向に動かして照明の光野径の縮小を行う場合について、図１７を用いて説明する。図１７（ａ）は、発光ダイオード３０１を反射鏡３０２の焦点距離に置いた場合における評価像面３０３での横収差を示しており、図１７（ｂ）は、発光ダイオード３０１を反射鏡３０２から遠ざける方向に動かした場合における評価像面３０３での横収差を示しており、図１７（ｃ）は、発光ダイオード３０１を図２３（ｂ）よりも更に遠ざける方向に動かした場合における評価像面３０３での横収差を示している。発光ダイオード３０１を反射鏡３０２から遠ざける方向に動かした場合には、図１７（ｂ）から明らかであるように、反射鏡開口の中心辺りの上光線と下光線が重なっている。これは、照明の光野の中心部分が周辺部より明るくなっていること示している。また、この状態から更に発光ダイオード３０１を反射鏡３０２から遠ざける方向に動かした場合には、図１７（ｃ）から明らかであるように、照明の光野の明るい中心部が周辺にまで広がった状態の横収差となる。これは、照明の光野が小径で中心照度が高く、スポットライトのような照明に近くなったことを示している。
【００４５】
このように、第１実施形態及び第２実施形態に係る医療用照明装置は、反射鏡１４（反射面２１５）の面形状を双曲面状に形成することにより、発光ダイオード１２（発光ダイオード２１２）と反射鏡１４（反射面２１５）との間隔を変化させた場合であっても、照明の光野の中心から周辺に向かって照度が低下する照度分布となり、ムラの無い良好な照明を実現することができる。
【００４６】
［第１実施形態及び第２実施形態の他の効果］
第１実施形態及び第２実施形態に係る医療用照明装置において、照明ユニット２（照明ユニット２００）は、反射鏡１４（反射盤２１４）及び基盤１６（基盤２１６）の少なくとも一方を他方に対して上下方向に移動させるのみの簡素な機構であるため、医療用照明装置に予期せず加えられた衝撃や部品劣化等により反射鏡１４（反射盤２１４）と基盤１６（基盤２１６）との間隔が動いてしまった場合であっても、通常通り照明の光野径を変化させることと同じように間隔を変化させるだけで、反射鏡１４（反射盤２１４）と基盤１６（基盤２１６）との間隔を調整し直すことができる。
【００４７】
また、第１実施形態及び第２実施形態に係る医療用照明装置において、各照明ユニット２（照明ユニット２００）に反射鏡１４（反射盤２１４）及び基盤１６（基盤２１６）の移動量を測定するエンコーダを設けるとした場合には、７つの照明ユニット２（照明ユニット２００）中の１つだけ、反射鏡１４（反射盤２１４）と基盤１６（基盤２１６）との間隔が動いてしまった場合であっても、初期位置（基準の位置）から再度可動を制御すればよく、特別な調整を行なうことなく使用を継続することができる。
【００４８】
さらに、第１実施形態及び第２実施形態に係る医療用照明装置において、発光ダイオード１２、２１２の数は、計１２６個と数は多くなるが、全体として発光ダイオード１個当たりに必要とされる光束は低くなるため、それほど高出力な発光ダイオードを選択する必要もなく、むしろ照度的に余裕がある場合には、低電圧駆動が可能となり、発光ダイオードの発熱を低減でき、照度劣化の少ない安定した照明を得ることができる。
【００４９】
またさらに、第２実施形態に係る医療用照明装置の構成によれば、部品点数の低減、構造の単純化、並びに相対的な部品の位置及び／又は角度への組立誤差の低減になるため、安定した性能を持つ医療用照明装置とすることができる。
【符号の説明】
【００５０】
１  医療用照明装置、２  照明ユニット、４  ハウジング、１０  照明セル、１２  発光ダイオード、１４  反射鏡、１６  基盤、１８  ケース部材、３０  ハウジング
【図１】
2012081058.tif 000004
【図２】
2012081058.tif 000005
【図３】
2012081058.tif 000006
【図４】
2012081058.tif 000007
【図５】
2012081058.tif 000008
【図６】
2012081058.tif 000009
【図７】
2012081058.tif 000010
【図８】
2012081058.tif 000011
【図９】
2012081058.tif 000012
【図１０】
2012081058.tif 000013
【図１１】
2012081058.tif 000014
【図１２】
2012081058.tif 000015
【図１３】
2012081058.tif 000016
【図１４】
2012081058.tif 000017
【図１５】
2012081058.tif 000018
【図１６】
2012081058.tif 000019
【図１７】
2012081058.tif 000020